(57)【要約】【課題】良好なアンテナ利得を有する携帯電話を提供する。【解決手段】本発明の携帯電話は、下筐体１００と、中間筐体２００と、上筐体３００と、導電性部材で構成された第１スライド部材１０５と、導電性部材で構成された第２スライド部材２０６と、下筐体内１００に設けられた第１回路基板１０２と、第１回路基板１０２上に設けられた無線部１０３と、第１回路基板１０２上に設けられたグランド１０７と、中間筐体２００内に設けられ、第２スライド部材２０６と電気的に接続されたアンテナ素子２０８と、無線部１０３と第１スライド部材１０５とを電気的に接続する給電部１０４と、上筐体３００内に設けられた第３回路基板３００と、アンテナ素子２０８と第３回路基板３００とを給電部近傍で接続する接続手段３０５とを備え、第１回路基板１０２からアンテナ素子２０８に給電して、グランド１０７とアンテナ素子２０８とでダイポールアンテナを構成する。【選択図】図１（ａ）
2009267485.tif 000002
【特許請求の範囲】
【請求項１】
第１の筐体と、
第２の筐体と、
表示部と、
前記表示部を配置した第３の筐体と、
前記第１の筐体に設けられ、導電性部材で構成された第１のスライド部材と、
前記第２の筐体に設けられ、導電性部材で構成された第２のスライド部材と、
前記第１の筐体内に設けられた第１の回路基板と、
前記第１の回路基板上に設けられた無線部と、
前記第１の回路基板上に設けられたグランドパターンと、
前記第２の筐体内に設けられ、前記第２のスライド部材と電気的に接続されたアンテナ素子と、
前記無線部と前記第１のスライド部材とを電気的に接続する給電部と、
前記第３の筐体内に設けられた第３の回路基板と、
前記アンテナ素子と前記第３の回路基板とを前記給電部近傍で接続する接続手段と、を備え、
前記第１の回路基板から前記アンテナ素子に給電することにより、前記グランドパターンと前記アンテナ素子とでダイポールアンテナを構成することを特徴とする携帯無線端末。
【請求項２】
請求項１記載の携帯無線端末であって、
前記第２筐体内に設けられた第２の回路基板をさらに備え、
前記アンテナ素子は前記第２の回路基板のほぼ全面に配置されたグランドパターンであることを特徴とする携帯無線端末。
【請求項３】
請求項１に記載の携帯無線端末であって、
前記第２筐体の外装は導電性金属部材で構成されており、前記アンテナ素子は前記第２筐体の外装金属であることを特徴とする携帯無線端末。
【請求項４】
請求項１から３のいずれか１項に記載の携帯無線端末であって、
前記接続手段は、前記給電部から動作周波数の１／２０波長又は１０ｍｍ以内に設けられることを特徴とする携帯無線端末。
【請求項５】
請求項１から４のいずれか１項に記載の携帯無線端末であって、
前記第１の筐体に対し前記第２の筐体は前記第１のスライド手段によって前記第１の筐体の短手方向にスライドし、
前記第２の筐体に対し前記第３の筐体は前記第２のスライド手段によって前記第２の筐体の長手方向にスライドすることを特徴とする携帯無線端末。
【請求項６】
請求項１から４のいずれか１項に記載の携帯無線端末であって、
前記第１の筐体に対し前記第２の筐体は前記第１のスライド手段によって前記第１の筐体の長手方向にスライドし、
前記第２の筐体に対し前記第３の筐体は前記第２のスライド手段によって前記第２の筐体の短手方向にスライドすることを特徴とする携帯無線端末。
【発明の詳細な説明】
【技術分野】
【０００１】
本発明は、少なくとも３つ以上の筐体を有し、その筐体が２つ以上の方向にスライド移動する携帯無線端末に関する。
【背景技術】
【０００２】
特許文献１に開示のスライド操作型の携帯電話機では、図４の（ａ）、（ｂ）に示すように、開状態及び閉状態で、それぞれ使用するアンテナを切り替えるアンテナ切り替えスイッチ５０４が設けられた上筐体用基板５００が設けられており、下筐体側には送受信回路が設けられた下筐体用基板５０１設けられている。アンテナ切り替えスイッチ５０４は閉じ状態時には、下筐体基板５０１側に設けられている送受信回路にアンテナエレメント５０３を接続する。また、開状態には、上筐体用基板５００及び下筐体基板５０１を電気的に接続することで形成される基板ダイポールアンテナを送受信回路に接続する。このように、携帯電話機の開状態及び閉状態で、それぞれ最適なアンテナを用いることができる。
【０００３】
特許文献２に開示のスライド操作型の携帯電話機では図５（ａ）、（ｂ）、（ｃ）に示すように第１導体板５１４及び第２導体板５１５に高周波電圧を印加する高周波電源５１９によりダイポールアンテナを構成している。図５（ｂ）は第２導体板５１５に第３導体板５１６が電気的に接続されているため、図５（ａ）のダイポールアンテナに比べ長さが長くなり、共振周波数は図５（ａ）よりも低い周波数へ移行し、図５（ａ）よりも低い周波数で使用できる。また、図５（ｃ）は第３導体板５１６を含む第３誘電体筐体５１３を収納している状態であり、無線装置全体のコンパクト化が図られ美観が良くなると同時に携帯性に優れる。
【特許文献１】特開２００６−２８７８２７号公報
【特許文献２】特開２００４−２０８２１９号公報
【発明の開示】
【発明が解決しようとする課題】
【０００４】
しかし、図４（ｂ）に示したスライド操作型の携帯電話機は、２枚構成の筐体内の基板をダイポールアンテナとするものであり。筐体が３枚になった場合には、筐体重なり部分でアンテナ電流とは逆相の結合電流が流れる。そのため、アンテナ利得が劣化してしまう。
【０００５】
また、図５（ａ）、（ｂ）、（ｃ）に示したスライド操作型の携帯電話機は、３枚構成の筐体内の基板をダイポールアンテナとするものであるが、図５（ｃ）のように第２導体板５１５と第３導体板５１６が重なった場合、第３導体板にアンテナ電流とは逆相の電流が流れてしまい、アンテナ利得が劣化してしまう。
【０００６】
本発明の目的は、筐体長手方向及び短手方向にスライドし、３枚の筐体を有するスライド式通信装置において、良好なアンテナ利得を有するスライド式通信装置を提供することである。
【課題を解決するための手段】
【０００７】
本発明の携帯無線端末は、第１の筐体と、第２の筐体と、表示部と、前記表示部を配置した第３の筐体と、前記第１の筐体に設けられ、導電性部材で構成された第１のスライド部材と、前記第２の筐体に設けられ、導電性部材で構成された第２のスライド部材と、前記第１の筐体内に設けられた第１の回路基板と、前記第１の回路基板上に設けられた無線部と、前記第１の回路基板上に設けられたグランドパターンと、前記第２の筐体内に設けられ、前記第２のスライド部材と電気的に接続されたアンテナ素子と、前記無線部と前記第１のスライド部材とを電気的に接続する給電部と、前記第３の筐体内に設けられた第３の回路基板と、前記アンテナ素子と前記第３の回路基板とを前記給電部近傍で接続する接続手段と、を備え、前記第１の回路基板から前記アンテナ素子に給電することにより、前記グランドパターンと前記アンテナ素子とでダイポールアンテナを構成する。
【０００８】
これにより、第１の筐体内に設けられた回路基板と、第２の筐体内に設けられた一方の端部がヒンジ部に接続されたアンテナ素子が、前記アンテナ素子と前記ヒンジ部の電気的接続部の近傍に設けられ前記第２の筐体と前記第３の筐体を電気的に接続する接続手段によって、同電位となる。そのため、前記接続手段から第３の筐体に電流が流れ込み、第３の筐体の電流分布は、アンテナ素子に流れる電流と同相となる。その結果、アンテナ利得が向上する。
【発明の効果】
【０００９】
本発明に係る携帯無線端末によれば、アンテナ性能の向上した携帯無線端末を提供することができる。
【発明を実施するための最良の形態】
【００１０】
以下、本発明の実施形態について図面を参照して説明する。なお、以下説明する実施形態では、少なくとも３つ以上の筐体を有し、その筐体が２つ以上の方向にスライド移動する携帯無線端末（以下「スライド式携帯電話」という。）について説明する。
【００１１】
[スライド式形態電話の外観構成]
図２（ａ）〜(ｆ)に、本発明の第１の実施形態となる筐体長手方向、短手方向へスライド時及び閉成時の各状態における外観を示す。このうち、図２（ａ）は筐体短手方向スライド時における当該スライド式携帯電話の正面外観図、図２（ｂ）は筐体短手方向スライド時の側面図、図２（ｃ）は筐体長手方向スライド時における当該スライド式携帯電話の正面外観図、図２（ｄ）は筐体長手方向スライド時の側面図、図２（ｅ）は閉成時における当該スライド式携帯電話の正面外観図、図２（ｆ）は閉成時の側面図をそれぞれ示している。
【００１２】
本発明の第１の実施形態となる筐体長手方向及び短手方向へスライド時の各状態における外観図は図２（ａ）〜（ｆ）に示すように、特許請求の範囲の第３の筐体に該当する上筐体３００と、特許請求の範囲の第２の筐体に該当する中間筐体２００と、特許請求の範囲の第１の筐体に該当する下筐体１００と、テンキー、＊キー、＃キー等の筐体短手方向へスライド時に数字入力や文字入力等を行うための操作部１０１と、筐体長手方向へスライド時に数字入力や文字入力等を行うための操作部２０１と、操作部１０１及び操作部２０１で入力された数字や文字を表示させる表示部３０１と、を備えている。
【００１３】
この図２（ａ）〜（ｆ）からわかるように、当該スライド式携帯電話は、図２（ｅ）、（ｆ）の閉状態から中間筐体２００及び上筐体３００が筐体短手方向にスライドすることで、筐体短手方向スライド状態となり、また、図２（ｅ）、（ｆ）の閉状態から上筐体３００が筐体長手方向にスライドすることで筐体長手方向スライド状態となる。
【００１４】
[スライド式携帯電話の内部構成]
図１（ａ）〜(ｇ)に、本発明の第１の実施形態となる筐体長手方向、短手方向へスライド時の各状態における内部構成を示す。このうち、図１(ａ) は、本発明の第１の実施形態における筐体短手方向スライド時の正面図であり、また、図１（ｂ）は、スライド式携帯電話が筐体短手方向スライド時での図１（ａ）に示すＡ-Ａ線断面図、図１（ｃ）は図１（ａ）に示すＢ-Ｂ線断面図、図１（ｄ）は、本発明の第１の実施形態における筐体短手方向スライド時の背面図である。また、図１（ｅ）は、本発明の第１実施形態における筐体長手方向スライド時の正面図、図１（ｆ）は、スライド式携帯電話が筐体長手方向スライド時での図１（ｃ）に示すＣ-Ｃ線断面図、図１（ｇ）は、図１（ｂ）の拡大図である。
【００１５】
図１（ａ）〜（ｇ）に示すように、下筐体１００には、特許請求の範囲の第１の回路基板に該当する下基板１０２と、下基板１０２のほぼ全面に配置されたグランドパターン１０７と、無線部１０３と、特許請求の範囲の給電部に該当する金属バネ１０４と、特許請求の範囲の第１のスライド部材に該当する筐体短手方向スライド用スライダ１０５ａ、１０５ｂと、下筐体１００と筐体短手方向スライド用スライダ１０５ａ、１０５ｂを固定接続するためのネジ１０６ａ、１０６ｂ、１０６ｃ、１０６ｄと、が設けられている。中間筐体２００には、特許請求の範囲の第２の回路基板に該当する中基板２０２と、中基板２０２のほぼ全面に配置されたグランドパターン（以下、「アンテナ素子」という）２０８と、特許請求の範囲の第２のスライド部材に該当する筐体短手方向スライド用レール２０３ａ、２０３ｂと、筐体短手方向スライド用レール２０３ａ、２０３ｂと中間筐体２００と中基板２０２を固定接続するためのネジ２０４ａ、２０４ｂ、２０４ｃ、２０４ｄと、特許請求の範囲の第３のスライド部材に該当する筐体長手方向スライド用スライダ２０６ａ、２０６ｂと、中間筐体２００と筐体長手方向スライド用スライダを固定接続するためのネジ２０７ａ、２０７ｂ、２０７ｃ、２０７ｄと、特許請求の範囲の接続手段に該当する金属バネ２０５と、が設けられている。また、上筐体３００には、特許請求の範囲の第３の回路基板に該当する上基板３０２と、特許請求の範囲の第４のスライド部材に該当する筐体長手方向スライド用レール３０３ａ、３０３ｂと、筐体長手方向スライド用レール３０３ａ及び３０３ｂと上筐体３００を接続するためのネジ３０４ａ、３０４ｂ、３０４ｃ、３０４ｄと、電気的接触点３０５と、が設けられている。
【００１６】
図１（ａ）、（ｂ）、（ｃ）に示すように下筐体の筐体短手方向の長さＬ１は５０ｍｍ、筐体長手方向の長さＷ１は１１０ｍｍ、厚みＴ１は１０ｍｍ、中間筐体の筐体短手方向の長さＬ２は５０ｍｍ、筐体長手方向の長さＷ２は１１０ｍｍ、厚みＴ２は６ｍｍ、上筐体の筐体短手方向の長さＬ３は５０ｍｍ、筐体長手方向の長さＷ３は１１０ｍｍ、厚みＴ３は６ｍｍである。
【００１７】
中間筐体２００の筐体短手方向スライド用レール２０３ａ，２０３ｂは、中間筐体２００が下筐体１００に対してスライドする面、すなわち中間筐体２００の背面の左右端部にそれぞれ設けられており、アンテナ素子２０８と接触している。また、下筐体１００の筐体短手方向スライド用スライダ１０５ａ，１０５ｂは、下筐体１００が中間筐体２００に対してスライドする面上、すなわち下筐体１００の正面上の左右端部に設けられている。筐体短手方向スライド用スライダ１０５ａ，１０５ｂが、筐体短手方向スライド用レール２０３ａ，２０３ｂにスライド可能に勘合接続されているため、中間筐体２００と下筐体１００は互いにスライド可能である。なお、互いに勘合接続が可能な構成であれば、筐体短手方向スライド用レール２０３ａ、２０３ｂが下筐体１００に設けられ、筐体短手方向スライド用スライダ１０５ａ、１０５ｂが中間筐体２００に設けられている場合でもかまわない。また、筐体短手方向スライド用レール２０３ａ，２０３ｂ及び筐体短手方向スライド用スライダ１０５ａ，１０５ｂは、金属等の導体からによって形成されている。したがって、筐体短手方向スライド用レール２０３ａ，２０３ｂと筐体短手方向スライド用スライダ１０５ａ，１０５ｂとアンテナ素子２０８は、互いに電気的に接続されている。
【００１８】
また、上筐体３００の筐体長手方向スライド用レール３０３ａ，３０３ｂは、上筐体３００が中間筐体２００に対してスライドする面、すなわち上筐体３００の背面の上下端部にそれぞれ設けられている。また、中間筐体２００の筐体長手方向スライド用スライダ２０６ａ，２０６ｂは、中間筐体２００が上筐体３００に対してスライドする面上、すなわち中間筐体２００の正面上の上下端部に設けられている。筐体長手方向スライド用スライダ２０６ａ，２０６ｂが、筐体長手方向用レール３０３ａ，３０３ｂにスライド可能に勘合接続されているため、上筐体３００と中間筐体２００は互いにスライド可能である。なお、互いに勘合接続が可能な構成であれば、筐体長手方向スライド用レール３０３ａ、３０３ｂが中間筐体２００に設けられ、筐体長手方向スライド用スライダ２０６ａ、２０６ｂが上筐体３００に設けられている場合でもかまわない。また、筐体長手方向スライド用レール３０３ａ，３０３ｂ及び筐体長手方向スライド用スライダ２０６ａ，２０６ｂは、金属等の導体からによって形成されている。したがって、筐体長手方向スライド用レール３０３ａ，３０３ｂと筐体長手方向スライド用スライダ２０６ａ，２０６ｂは、電気的に接続されている。
【００１９】
本実施形態では、金属バネ１０４と筐体短手方向スライド用スライダ１０５ａは筐体短手方向スライド時に接触し、電気的に接続されている。そのため、金属バネ１０４−筐体短手方向スライド用スライダ１０５ａ−筐体短手方向スライド用レール２０３ａ−アンテナ素子２０８は導通している。したがって、無線部１０３から下基板１０２−金属バネ１０４−筐体短手方向スライド用スライダ１０５ａ−筐体短手方向スライド用レール２０３を介してアンテナ素子２０８に給電することによって、グランドパターン１０７とアンテナ素子２０８により、ダイポールアンテナを構成している。なお、図１（ｇ）に示すように、下基板１０２とアンテナ素子２０８の間隔Ｇ１は、２ｍｍ以上離れていないとダイポールアンテナの動作が阻害され、アンテナ利得が劣化する。
【００２０】
金属バネ２０５は、金属バネ１０４に対して、アンテナ動作周波数の１／２０波長又は１０ｍｍ以内のアンテナ素子２０８の正面に設けられており、また、金属バネ２０５と電気的接触点３０５は、互いに接触し、電気的に接続されている。そのため、アンテナ素子２０８−金属バネ２０５−電気的接触点３０５−上基板３０２は導通している。なお、金属バネ１０４と金属バネ２０５の距離はアンテナ動作周波数の１／２０波長又は１０ｍｍ以内に限定されるものではなく、これより離れていても若干効果は小さくなるが高いアンテナ性能を実現できるものである。
【００２１】
このように、本実施形態では、アンテナ素子２０８−金属バネ２０５−電気的接触点３０５−上基板３０２が導通している。したがって、上基板の電流分布は、図３（ａ）のように、金属バネ２０５がない場合、アンテナ素子２０８に流れる電流と逆相となり、アンテナ利得が劣化してしまう。一方、図３（ｂ）のように金属バネを設置することによって、アンテナ素子２０８に流れる電流と同相となり、アンテナ利得が向上する。
【００２２】
なお、本実施形態では、アンテナ素子２０８と上基板３０２の電気的接続し関し、金属バネ２０５を使用する方法を記載したがこれに限るものではなく、導電性クッションを用いる方法などによる接続など、アンテナ素子２０８と上基板３０２が電気的に接続される方法であれば同様の効果を奏するものである。
【００２３】
また、本実施例では、アンテナ素子２０８は、第２の筐体内に設けたが、第１の筐体１００または第３の筐体３００に設けてもよい。この場合、無線部１０３、グランドパターン１０７等は、第２の筐体２００、第３の筐体３００に適宜設ける構成としてもよく、給電部１０４、接続手段２０５の位置を適宜変更してもよい。
【００２４】
また、本実施例では、少なくとも３つ以上の筐体を有し、その筐体が２つ以上の方向にスライド移動する携帯無線端末について説明したが、これに限られるものではなく、同一方向に２段階で伸張する携帯無線端末等であってもよい。
【産業上の利用可能性】
【００２５】
本発明に係る携帯無線端末は、無線機能を有し、また、少なくとも３つ以上の筐体を有し、その筐体が２つ以上の方向にスライド移動する、携帯電話、ポータブルゲーム機、ＰＤＡ、デジタルカメラ、ポータブルオーディオ等に有用である。
【図面の簡単な説明】
【００２６】
【図１（ａ）】本発明の第１の実施形態における筐体短手方向スライド時の正面図
【図１（ｂ）】スライド式携帯電話が筐体短手方向スライド時での図１（ａ）に示すＡ-Ａ線断面図
【図１（ｃ）】スライド式携帯電話が筐体短手方向スライド時での図１（ａ）に示すＢ-Ｂ線断面図
【図１（ｄ）】本発明の第１の実施形態における筐体短手方向スライド時の背面図
【図１（ｅ）】本発明の第１実施形態における筐体長手方向スライド時の正面図
【図１（ｆ）】スライド式携帯電話が筐体長手方向スライド時での図１（ｃ）に示すＣ-Ｃ線断面図
【図１（ｇ）】図１（ａ）に示す拡大図
【図２（ａ）】筐体短手方向スライド時における当該スライド式携帯電話の正面外観図
【図２（ｂ）】筐体短手方向スライド時の側面図
【図２（ｃ）】筐体長手方向スライド時における当該スライド式携帯電話の正面外観図
【図２（ｄ）】筐体長手方向スライド時の側面図
【図２（ｅ）】閉成時における当該スライド式携帯電話の正面外観図
【図２（ｆ）】閉成時の側面図
【図３（ａ）】金属バネあり時の各筐体内部の電流分布図
【図３（ｂ）】金属バネなし時の各筐体内部の電流分布図
【図４（ａ）】特許文献１に開示のスライド操作型の携帯電話機の断面図
【図４（ｂ）】特許文献１に開示のスライド操作型の携帯電話機の断面図
【図５（ａ）】特許文献２に開示のスライド操作型の携帯電話機の正面図及び断面図
【図５（ｂ）】特許文献２に開示のスライド操作型の携帯電話機の正面図及び断面図
【図５（ｃ）】特許文献２に開示のスライド操作型の携帯電話機の正面図及び断面図
【符号の説明】
【００２７】
１００    下筐体
１０１    操作部
１０２    下基板
１０３    無線部
１０４    金属バネ
１０５ａ、１０５ｂ    筐体短手方向スライド用スライダ
１０６ａ、１０６ｂ、１０６ｃ、１０６ｄ    ネジ
１０７    グランドパターン
２００    中間筐体
２０１    操作部
２０２    中基板
２０３ａ、２０３ｂ    筐体短手方向スライド用レール
２０４ａ、２０４ｂ、２０４ｃ、２０４ｄ    ネジ
２０５    金属バネ
２０６ａ、２０６ｂ    筐体長手方向スライド用スライダ
２０７ａ、２０７ｂ、２０７ｃ、２０７ｄ    ネジ
２０８    アンテナ素子
３００    上筐体
３０１    表示部
３０２    上基板
３０３ａ、３０３ｂ    筐体長手方向スライド用レール
３０４ａ、３０４ｂ、３０４ｃ、３０４ｄ    ネジ
３０５    電気的接触点
【図１（ａ）】
2009267485.tif 000003
【図１（ｂ）】
2009267485.tif 000004
【図１（ｃ）】
2009267485.tif 000005
【図１（ｄ）】
2009267485.tif 000006
【図１（ｅ）】
2009267485.tif 000007
【図１（ｆ）】
2009267485.tif 000008
【図１（ｇ）】
2009267485.tif 000009
【図２（ａ）】
2009267485.tif 000010
【図２（ｂ）】
2009267485.tif 000011
【図２（ｃ）】
2009267485.tif 000012
【図２（ｄ）】
2009267485.tif 000013
【図２（ｅ）】
2009267485.tif 000014
【図２（ｆ）】
2009267485.tif 000015
【図３（ａ）】
2009267485.tif 000016
【図３（ｂ）】
2009267485.tif 000017
【図４（ａ）】
2009267485.tif 000018
【図４（ｂ）】
2009267485.tif 000019
【図５（ａ）】
2009267485.tif 000020
【図５（ｂ）】
2009267485.tif 000021
【図５（ｃ）】
2009267485.tif 000022